(57)【特許請求の範囲】
【請求項１】
マンホール（２０２）のカバー（２０６）の下に固定される電子計数ハウジング（１００）であって、前記カバー（２０６）は、少なくとも第１の固定手段（２１０）と貫通空洞（２１６）とを備え、該電子ハウジング（１００）は、
上面を有するシェル（１０２）と、
前記第１の固定手段（２１０）または前記第１の固定手段（２１０）のそれぞれに対して、前記シェル（１０２）を前記カバー（２０６）の下に固定するために前記第１の固定手段（２１０）と協力する第２の固定手段（２１２、５０２）と、
計数データを含むメモリを備える電子コンポーネント（２０８）および記憶されたデータを送信するワイヤレス通信モジュールと、
前記ワイヤレス通信モジュールを非アクティブモードからアクティブモードに変更する制御モジュール（２１４）と、
を備え、
前記制御モジュール（２１４）は、外部ウェイクアップ装置の存在下で反応し、かつ前記ワイヤレス通信モジュールを非アクティブモードからアクティブモードに変更させることができるセンサ（２１８）を備え、該センサ（２１８）は、前記上面に対して突出し、かつ前記貫通空洞（２１６）に収容される、電子計数ハウジング（１００）。
【請求項２】
前記ワイヤレス通信モジュールが、データが送信されてからある時間で、アクティブモードから非アクティブモードへ移行する、請求項１に記載の電子計数ハウジング（１００）。
【請求項３】
第１の固定手段（２１０）のそれぞれは、皿穴を有する貫通穴であり、第２の固定手段（２１２）のそれぞれは、ネジであり、この目的のために設けられた穴（１０４）にて前記シェル（１０２）にねじ込まれるために、ネジ頭が前記皿穴の受面に入り、ネジ山のついたステムが前記貫通穴を通過する、請求項１または２に記載の電子ハウジング（１００）。
【請求項４】
第１の固定手段（２１０）のそれぞれと、関連付けられた第２の固定手段（２１２、５０２）のそれぞれは、共に弾性接続を形成する、請求項１または２に記載の電子ハウジング（１００）。
【請求項５】
第１の固定手段（２１０）のそれぞれは、皿穴を有する貫通穴であり、第２の固定手段（２１２、５０２）のそれぞれは、第一には、ネジ（２１２）を備え、この目的のために設けられた穴（１０４）にて前記シェル（１０２）にねじ込まれるために、ネジ頭が前記皿穴の反対に位置し、ネジ山のついたステムが前記貫通穴を通過し、第二には、前記ネジ頭と前記皿穴との間に配置されたバネ（５０２）を備える、請求項４に記載の電子ハウジング（１００）。
【請求項６】
前記センサ（２１８）が埋め込まれる突起部（１０６）を備える、請求項１〜５のいずれか一項に記載の電子ハウジング（１００）。
【請求項７】
前記突起部（１０６）の形状は、前記貫通空洞（２１６）の形状と一致する、請求項６に記載の電子ハウジング（１００）。
【請求項８】
前記突起部（１０６）は、可撓性材料から作られる、請求項６または７に記載の電子ハウジング（１００）。
【請求項９】
前記突起部（１０６）は、使用される波長範囲において透明である、請求項１〜８のいずれか一項に記載の電子ハウジング（１００）。
【請求項１０】
前記シェル（１０２）の内部は、前記電子コンポーネント（２０８）を受け入れる中央コンパートメント（４０６）と、電気エネルギ源を受け入れる少なくとも１つの側方コンパートメント（４０８）とに分割される、請求項１〜９のいずれか一項に記載の電子ハウジング（１００）。
【請求項１１】
前記電子コンポーネント（２０８）は、前記中央コンパートメント（４０６）を充填する樹脂に埋め込まれる、請求項１０に記載の電子ハウジング（１００）。
【請求項１２】
請求項１〜１１のいずれか一項に記載の電子ハウジング（１００）と、前記電子ハウジング（１００）の下に取り外し可能に固定される相補的電子ハウジング（２５２）とを備える、モジュラ電子アセンブリ（２５０）。
【請求項１３】
固定は、バイオネット固定システムを用いて行われる、請求項１２に記載のモジュラ電子アセンブリ（２５０）。
【発明の詳細な説明】
【技術分野】
【０００１】
本発明は、検査マンホールのカバーの下に配置される電子ハウジング、および、該電子ハウジングを備えるモジュラ電子アセンブリに関する。
【背景技術】
【０００２】
例えば、車両や歩行者に関する計数ボックスといった、外部からの攻撃を防ぐために検査マンホールの内部に配置される電子ボックスが存在する。
【０００３】
これらの電子ボックスに記憶されたデータを読み取るためには、技術者は定期的に、マンホールのカバーを持ち上げ、問題となっている電子ハウジングのメモリから該データを、例えば、携帯型コンピュータといったダウンロードユニットにダウンロードしなくてはならない。
【０００４】
ダウンロードは、例えば、ブルートゥース接続タイプのものといったワイヤレス通信を用いて行われる。
【０００５】
データのダウンロードはそれゆえ、カバーを持ち上げて、それを元に戻す必要があり、これは時間と労力を要する仕事となる。
【発明の概要】
【課題を解決するための手段】
【０００６】
本発明の１つの目的は、先行技術の欠点を有さず、とりわけ、電子ハウジングを保護するカバーに作用する必要なく、電子ハウジングが含むデータをダウンロードすることができる電子ハウジングを提案することである。
【０００７】
この目的を達成するために、マンホールのカバーの下に固定されるよう意図された電子計数ハウジングが提案され、カバーは、少なくとも第１の固定手段と貫通空洞とを備え、電子ハウジングは、
上面を有するシェルと、
第１の固定手段または第１の固定手段のそれぞれに対して、前記シェルをカバーの下に固定するために前記第１の固定手段と協力するよう意図された第２の固定手段と、
計数データを含むメモリを備える電子コンポーネントおよび記憶されたデータを送信するよう意図されたワイヤレス通信モジュールと、
前記ワイヤレス通信モジュールを非アクティブモードからアクティブモードに変更するよう意図された制御モジュールと、を備え、
前記制御モジュールは、外部ウェイクアップ装置の存在下で反応し、かつワイヤレス通信モジュールを非アクティブモードからアクティブモードに変更させることができるセンサを備え、該センサは、前記上面に対して突出し、かつ前記空洞に収容されるよう意図される。
【０００８】
有利には、ワイヤレス通信モジュールは、データの送信後、アクティブモードから非アクティブモードまで、ある時間を経過する。
【０００９】
特定の実施形態によると、第１の固定手段のそれぞれは、皿穴を有する貫通穴であり、第２の固定手段のそれぞれは、ネジであり、この目的のために設けられた穴にてシェルにねじ込むために、ネジ頭が皿穴の受面に入り、ネジ山のついたステムが貫通穴を通過する。
【００１０】
特定の実施形態によると、互いに関連付けられた第１の固定手段のそれぞれと第２の固定手段のそれぞれは、共に弾性接続を形成する。
【００１１】
有利には、第１の固定手段のそれぞれは、皿穴を有する貫通穴であり、第２の固定手段のそれぞれは、第一には、ネジを備え、この目的のために設けられた穴にてシェルにねじ込むために、ネジ頭が皿穴の反対に位置し、ネジ山のついたステムが貫通穴を通過し、第二には、ネジ頭と皿穴との間に配置されるバネを備える。
【００１２】
有利には、電子ハウジングは、センサが埋め込まれる突起部を備える。
【００１３】
有利には、突起部の形状は、空洞の形状と一致する。
【００１４】
有利には、突起部は、可撓性材料から作られる。
【００１５】
有利には、突起部は、使用される波長範囲において透明である。
【００１６】
有利には、シェルの内部は、電子コンポーネントを受け入れるよう意図された中央コンパートメントと、電気エネルギ源を受け入れるよう意図された少なくとも１つの側方コンパートメントとに分割される。
【００１７】
有利には、電子コンポーネントは、中央コンパートメントを充填する樹脂に埋め込まれる。
【００１８】
本発明はまた、前述の様々な変形の１つに従う電子ハウジングと、電子ハウジングの下に取り外し可能に固定される相補的電子ハウジングとを備えるモジュラ電子アセンブリを提案する。
【００１９】
有利には、固定は、バイオネット固定システムを用いて行われる。
【００２０】
本発明の上述した特徴およびその他の特徴は、添付の図面に関連して与えられる、以下の例示的な実施形態の記載を読むことからより明確になるであろう。
【図面の簡単な説明】
【００２１】
【図１】本発明に従う電子ハウジングを示す。
【図２】図１の電子ハウジングの例示的なレイアウトの断面図である。
【図３】本発明に従うモジュラ電子アセンブリのための相補的電子ハウジングを示す。
【図４】図１の電子ハウジングを下から見た図である。
【図５】本発明に従う電子ハウジングの変形レイアウトを示す。
【発明を実施するための形態】
【００２２】
以下の記載において、位置に関する用語は、垂直に配置された、つまり図２に示されるとおりの電子ハウジングを参照して理解される。
【００２３】
図１は、本発明に従う電子ハウジング１００を示す。
【００２４】
図２は、地面５０に配置されたマンホール２０２における電子ハウジング１００の例示的レイアウト２００を示す。
【００２５】
マンホール２０２はここで、シリンダ２０４およびカバー２０６の形態である。
【００２６】
電子ハウジング１００は、任意の装置であってよく、技術者がこれを確認するためにアクセスできなくてはならない、または、技術者がそのメモリが持つデータを回収するためにこれと通信できなくてはならない。
【００２７】
電子ハウジング１００は、車両または歩行者の計数、電気メータ、ガスメータ、水道メータなどのためのハウジングとすることができる。
【００２８】
電子ハウジング１００の内部には、その機能に必要な電子コンポーネント２０８が配置される。
【００２９】
電子ハウジング１００は、逆さの向きのボウルの形態であるシェル１０２を備え、すなわちボウルの底が上部に位置してシェル１０２の上面を構築し、ボウルの開口が下部に位置し、細流（trickling）による水の浸入を防ぐ。
【００３０】
シェル１０２の開口を閉じるために、電子ハウジング１００は、シェル１０２の下に取り外し可能に取り付けられた壁を備える。電子ハウジング１００の水密性を提供するため、このように取り付けられた壁の周りにシリコーンのガスケットが配置される。
【００３１】
マンホール２０２の底に電子ハウジング１００が位置して水浸しになるのを防ぐために、電子ハウジング１０２は、カバー２０６の下に固定される。
【００３２】
この目的ため、カバー２０６は、少なくとも１つの第１の固定手段２１０を有し、電子ハウジング１００は、第１の固定手段２１０のそれぞれに対して、電子ハウジング１００をカバー２０６の下に固定するために、第１の固定手段２１０と協力するよう意図された第２の固定手段２１２を備える。
【００３３】
図１および図２に示される本発明の実施形態では、第１の固定手段２１０の数は２つで、それぞれが皿穴を有する貫通穴２１０の形態をとり、第２の固定手段２１２のそれぞれは、ネジの形態をとり、この目的のために設けられた穴１０４にてシェル１０２にねじ込むために、ネジ頭が皿穴の受面に入り、ネジ山のついたステムが前記貫通穴を通過する。
【００３４】
電子ハウジング１００のデータがワイヤレス通信を介して読み込まれなくてはならない場合、電子コンポーネント２０８は、例えば、無線（ブルートゥース）または光（赤外線）などの通信モジュールタイプの、ワイヤレス通信モジュールを備える。
【００３５】
電源内蔵型の電子ハウジング１００、つまり、自らのエネルギ源を含むものの場合、エネルギ源のより長い寿命を保証するために電気消費が制限されなくてはならない。
【００３６】
しかしながら、ワイヤレス通信モジュールは相当量のエネルギを消費し、その消費を制限するために、電子ハウジング１００は、ワイヤレス通信モジュールを非アクティブモードからアクティブモードに変更するよう意図された制御モジュール２１４も備える。
【００３７】
アクティブモードでは、ワイヤレス通信モジュールは動作可能であり、データの送信、命令の受け取りができる。
【００３８】
非アクティブモードでは、ワイヤレス通信モジュールは動作可能でない。
【００３９】
電子ハウジング１００のメモリに記憶された計数データを読み込むために、技術者は、ワイヤレス通信モジュールの非アクティブモードからアクティブモードへの変更を制御する制御モジュール２１４に対して働きかけなくてはならない。
【００４０】
ワイヤレス通信モジュールがアクティブのとき、技術者は、例えば、ワイヤレス接続を介してワイヤレス通信モジュールに接続されたコンピュータなどを使用して、データを読む。ワイヤレス通信モジュールはこのようにして記憶されたデータを送信する。
【００４１】
制御モジュール２１４に対して働きかけることができるように、後者は、少なくとも部分的にマンホール２０２の外部からアクセス可能でなくてはならない。
【００４２】
この目的ため、マンホール２０２、より具体的にはカバー２０６は、カバー２０２を貫通する穴の形態をとる空洞２１６を備え、制御モジュール２１４は、例えば、シェル１０２の上面に対して突出し、空洞２１６に収容される、磁気センサといった非接触センサタイプのセンサ２１８を備える。
【００４３】
センサ２１８は、例えば、「ＩＬＳ」または「リードスイッチ」とも呼ばれる柔軟なブレードを有するスイッチとすることができる。
【００４４】
センサ２１８は、例えば、磁気キーといった非接触外部ウェイクアップ装置の存在下で反応するよう設計される。
【００４５】
機械的保護の理由のため、センサ２１８は、空洞２１６の内部に留まらなければならず、マンホール２０２から出てはならない。第１の固定手段２１０および第２の固定手段２１２は、センサ２１８がマンホール２０２から出ないように、カバー２０６の下で電子ハウジング１００の位置を調節することができるよう設計される。
【００４６】
このように、技術者が電子ハウジング１００に記憶されたデータを読み込みたい場合、技術者はセンサ２１８のウェイクアップ装置に働きかけ、センサ２１８を起動し、制御モジュール２１４において、ワイヤレス通信モジュールを非アクティブモードからアクティブモードに変化させるコマンドをトリガする。
【００４７】
データ送信後およびある時間経過後、ワイヤレス通信モジュールは、アクティブモードから非アクティブモードに変化する。
【００４８】
カバー２０６における空洞２１６内のセンサ２１８の配置はそれゆえ、ワイヤレス通信モジュールを非アクティブモードからアクティブモードに切り替え、かつ、電子ハウジング１００が持つデータを、カバー２０６を操作する必要なく、ダウンロードすることを可能にする。
【００４９】
センサ２１８を保護するために、センサ２１８は、突起部１０６に埋め込まれる。
【００５０】
突起部１０６と空洞２１６の壁との間に異物が挿入されるのを防ぐために、突起部１０６の形状は、空洞２１６の形状と一致する。
【００５１】
図１および図２に示す本発明の実施形態では、突起部１０６は、円筒の形態をとる。
【００５２】
小石といった異物が突起部の上に入ったり、車両や歩行者が突起部２１６上の小石を砕いたりすること可能性がある。小石の影響で突起部２１６が破壊されるのを防ぐために、突起部は、例えば、約６０ショアの硬さを有するＳＥＢＳタイプの熱可塑性エラストマといった可撓性材料から作られる。
【００５３】
制御モジュール２１４および／またはワイヤレス通信モジュールの状態について技術者に通知するためにスイッチがオンになる発光ダイオードや、赤外線通信ダイオードなどのダイオードを電子コンポーネント２０８が含むようにすることも可能である。この目的のため、突起部２１６は、使用される波長範囲において透明であり、ダイオードから外部へ、またその逆へ、波を誘導する働きをする。
【００５４】
電子ハウジング１００は、モジュラ電子アセンブリ２５０を構築するために、少なくとも１つの相補的電子ハウジング２５２と関連付けられることができる。
【００５５】
図３は、相補的電子ハウジング２５２のシェル３０２を示し、図４は、電子ハウジング１００のシェル１０２の開口を示す。
【００５６】
相補的電子ハウジング２５２は、電子ハウジング１００と同タイプであってよく、好ましくは、電子ハウジング１００または技術者のコンピュータと通信することができるように、接続ケーブルによって電子ハウジング１００に電気的に接続される。
【００５７】
モジュラ電子アセンブリ２５０は、ここでは取り外し可能に上下に固定された電子ハウジング１００と相補的電子ハウジング２５２とからなる円柱の形態をとる。
【００５８】
相補的電子ハウジング２５２のシェル３０２は、電子ハウジング１００のシェル１０２と同一の形状を有する。シェル１０２および３０２は、それぞれの開口に向かって広がる外形を有し、それゆえ、電子ハウジング１００の相補的電子ハウジング２５２への嵌合が促進される。
【００５９】
電子ハウジング１００の下の相補的電子ハウジング２５２の固定は、バイオネット固定システムを用いて実行される。
【００６０】
シェル３０２は、その上部においてシェル３０２の外側に向かって突出する少なくとも２つのバイオネット３０４を有する。
【００６１】
それぞれのバイオネット３０４に対して、電子ハウジング１００は、その開口において、バイオネット３０４を受け入れて、相補的電子ハウジング２５２の回転の後に保持するよう意図されたスロット４０４を備える。セルフクランプロックを実行するよう、スロット４０４の幅はバイオネット３０４を装備するために狭くなる。
【００６２】
当然ながら、相補的電子ハウジング２５２もまた、別の相補的電子ハウジングの任意選択的な固定ができるよう同一のスロット４０４を備える。
【００６３】
シェル１０２、３０２の内部は、複数のコンパートメントに分割されている。特に、この複数のコンパートメントは、中央コンパートメント４０６と、中央コンパートメント４０６の両側に配置された２つの側方コンパートメント４０８を備える。
【００６４】
中央コンパートメント４０６は、良好な水密性を提供するために中央コンパートメントを充填する樹脂に埋め込まれた電子コンポーネント２０８を受け入れるよう意図される。
【００６５】
側方コンパートメント４０８のそれぞれは、電池といった電気エネルギ源を受け入れるよう意図される。
【００６６】
図５は、カバー２０６の下に弾性的に固定されるように設計された電子ハウジング１００を示す。弾性接続の導入は、電子ハウジング１００上、例えば、可撓性材料から作られているか否かに関わらず突起部１０６上に、外部要素が載っているとき、電子ハウジング１００の押下を促進する。
【００６７】
この目的のため、第１の固定手段２１０のそれぞれと、関連付けられた第２の固定手段２１２、５０２のそれぞれは、共に弾性接続を形成する。
【００６８】
図５に示す本発明の実施形態では、第１の固定手段２１０のそれぞれは、皿穴を有する貫通穴であり、第２の固定手段２１２、５０２のそれぞれは、第一には、ネジ２１２を備え、この目的のために設けられた穴１０４にてシェル１０２にねじ込まれるために、ネジ頭が皿穴の反対に位置し、ネジ山のついたステムが貫通穴を通過し、第二には、ネジ頭と皿穴との間に配置されたバネ５０２を備える。
【００６９】
バネ５０２は、ここでは螺旋状圧縮バネであるが、電子ハウジング１００の下方移動および当初の位置への回復が確実である限り、他の形態をとってもよい。
【００７０】
当然のことながら、本発明は、記述し描写された実施例および実施形態に限定されず、当業者が利用できる多様な変形が可能である。
【図１】
0005628938.tif 000002
【図２】
0005628938.tif 000003
【図３】
0005628938.tif 000004
【図４】
0005628938.tif 000005
【図５】
0005628938.tif 000006